【事件の表示】
　特願２００５−１５７７８６「デジタル放送システム、放送装置および移動体用放送受信装置」拒絶査定不服審判事件〔平成１８年１２月　７日出願公開、特開２００６−３３３３７５〕について、次のとおり審決する。
【結　論】
　本件審判の請求は、成り立たない。
【理　由】
第１　経緯
　
１．手続
　本願は、平成１７年５月３０日に特許出願されたものであって、平成２３年２月３日付で拒絶の理由が通知され、平成２３年４月１１日付で意見書・手続補正書が提出され、平成２３年７月１１日付で最後の拒絶理由として拒絶の理由が通知され、平成２３年９月２０日付で意見書・手続補正書が提出され、平成２４年４月９日付で、平成２３年９月２０日付手続補正書による手続補正が却下されると共に拒絶査定がなされたものである。
　本件は、上記拒絶査定を不服として平成２４年７月１７日に請求された拒絶査定不服審判であって、その審判請求と同時に手続補正書が提出され、当審において、前置報告書の内容について審判請求人の意見を求めるために、平成２４年１０月３１日付で審尋がなされ、平成２５年１月７日付けで回答書が提出されている。
　
２．査定
　平成２４年４月９日付の原査定の理由は、概略、以下の通りである。
　
ａ．本願の請求項５に係る発明は、その出願前に日本国内又は外国において、頒布された下記の刊行物１に記載された発明又は電気通信回線を通じて公衆に利用可能となった発明であるから、特許法第２９条第１項第３号に該当し、特許を受けることができない。
ｂ．本願の請求項１〜６に係る発明は、その出願前に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
　
　　　　　記
１．特開２００５−１０２３２２号公報
２．特開２００２−５７６４５号公報
３．特開２００４−１５３７７０号公報
　
第２．平成２４年７月１７日付の手続補正についての補正却下の決定
［補正却下の決定の結論］
　平成２４年７月１７日付の手続補正を却下する。
　
［理由］
１．補正の内容
　平成２４年７月１７日付の手続補正（以下、「本件補正」という。）は、補正前の請求項１〜６（平成２３年４月１１日付手続補正書で補正されたもの。平成２４年４月９日付で、平成２３年９月２０日付手続補正書による手続補正は既に却下されている。）である、
「【請求項１】
　送信手段と、
　視聴者参加型放送番組を受信する放送受信手段と、
　利用者の居住地識別情報を記憶する記憶手段と、
　前記視聴者参加型放送番組に基づく回答を前記送信手段を介して送信する際、前記回答とともに前記記憶手段が記憶している居住地識別情報も送信するように制御する送信制御手段と、
を備える移動体用放送受信装置と、
　視聴者参加型放送番組を放送する放送手段と、
　当該視聴者参加型放送番組に基づく回答と該回答に関連付けられた居住地識別情報を受信する受信手段と、
　該受信した居住地識別情報に基づいて前記回答を集計して前記放送手段から放送するように制御する放送制御手段と、
を備える放送装置と、
　を含むデジタル放送システム。
　【請求項２】
　前記移動体用放送受信装置は、位置情報を取得する位置情報取得手段を有し、
　前記送信制御手段は、前記視聴者参加型放送番組に基づく回答を前記送信手段を介して送信する際、前記回答とともに前記記憶手段が記憶している居住地識別情報及び前記位置情報取得手段が取得した位置情報も送信するように制御し、
　前記放送制御手段は、前記受信手段が前記回答と該回答に関連付けられた居住地識別情報及び放送受信装置の位置情報を受信した場合、前記制御手段は、該受信した居住地識別情報及び放送受信装置の位置情報に基づいて前記回答を集計して前記放送手段から放送するように制御する
　ことを特徴とする請求項１記載のデジタル放送システム。
　【請求項３】
　視聴者参加型放送番組を放送する放送手段と、
　当該視聴者参加型放送番組に基づく回答と該回答に関連付けられた居住地識別情報を受信する受信手段と、
　該受信した居住地識別情報に基づいて前記回答を集計して前記放送手段から放送するように制御する制御手段と、
　を備えることを特徴とする放送装置。
　【請求項４】
　前記受信手段が前記回答と該回答に関連付けられた居住地識別情報及び放送受信装置の位置情報を受信した場合、前記制御手段は、該受信した居住地識別情報及び放送受信装置の位置情報に基づいて前記回答を集計して前記放送手段から放送するように制御する
　ことを特徴とする請求項３記載の放送装置。
　【請求項５】
　送信手段と、
　視聴者参加型放送番組を受信する受信手段と、
　利用者の居住地識別情報を記憶する記憶手段と、
　前記視聴者参加型放送番組に基づく回答を前記送信手段を介して送信する際、前記回答とともに前記記憶手段が記憶している居住地識別情報も送信するように制御する制御手段と、
　を備えることを特徴とする移動体用放送受信装置。
　【請求項６】
　位置情報を取得する位置情報取得手段を有し、
　前記制御手段は、前記視聴者参加型放送番組に基づく回答を前記送信手段を介して送信する際、前記回答とともに前記記憶手段が記憶している居住地識別情報及び前記位置情報取得手段が取得した位置情報も送信するように制御する
　ことを特徴とする請求項５記載の移動体用放送受信装置。」
　
を、
　
「【請求項１】
　送信手段と、
　視聴者参加型放送番組を受信する放送受信手段と、
　利用者の居住地識別情報を記憶する記憶手段と、
　前記視聴者参加型放送番組
の問題
を備える移動体用放送受信装置と、
　視聴者参加型放送番組を放送する放送手段と、
　当該視聴者参加型放送番組
の問題
　該受信した居住地識別情報に基づいて前記回答を集計して前記放送手段から放送するように制御する放送制御手段と、
を備える放送装置と、
　を含むデジタル放送システム。
　【請求項２】
　前記移動体用放送受信装置は、位置情報を取得する位置情報取得手段を有し、
　前記送信制御手段は、前記視聴者参加型放送番組
の問題
　前記放送制御手段は、前記受信手段が前記回答と該回答に関連付けられた居住地識別情報及び放送受信装置の位置情報を受信した場合、前記制御手段は、該受信した居住地識別情報及び放送受信装置の位置情報に基づいて前記回答を集計して前記放送手段から放送するように制御する
　ことを特徴とする請求項１記載のデジタル放送システム。
　【請求項３】
　視聴者参加型放送番組を放送する放送手段と、
　当該視聴者参加型放送番組
の問題
　該受信した居住地識別情報に基づいて前記回答を集計して前記放送手段から放送するように制御する制御手段と、
　を備えることを特徴とする放送装置。
　【請求項４】
　前記受信手段が前記回答と該回答に関連付けられた居住地識別情報及び放送受信装置の位置情報を受信した場合、前記制御手段は、該受信した居住地識別情報及び放送受信装置の位置情報に基づいて前記回答を集計して前記放送手段から放送するように制御する
　ことを特徴とする請求項３記載の放送装置。
　【請求項５】
　送信手段と、
　視聴者参加型放送番組を受信する受信手段と、
　利用者の居住地識別情報を記憶する記憶手段と、
　前記視聴者参加型放送番組
の問題
　を備えることを特徴とする移動体用放送受信装置。
　【請求項６】
　位置情報を取得する位置情報取得手段を有し、
　前記制御手段は、前記視聴者参加型放送番組
の問題
　ことを特徴とする請求項５記載の移動体用放送受信装置。」
　
と補正するものである。
　
　上記補正前後の構成を対比すると、補正前の請求項１、２、３、５、６の「視聴者参加型放送番組に基づく回答」を、「視聴者参加型放送番組
の問題
　
２．本件補正の適合性
２．１．補正の範囲
　上記補正事項は、願書に最初に添付した明細書の記載（段落【００３７】）に基づくものであり、願書に最初に添付した明細書、特許請求の範囲又は図面に記載した事項の範囲内においてする補正である。
　
２．２．補正の目的
　上記補正事項は、「視聴者参加型放送番組に基づく回答」を、「視聴者参加型放送番組
の問題
　
２．３．独立特許要件
　上記補正事項は、特許請求の範囲の減縮を目的とするものであるので、以下、独立特許要件について検討する。
　
ア．補正後の請求項５に係る発明
　本件補正後の請求項５に係る発明（以下、「補正後発明」という。）は、以下のとおりである。
「【請求項５】
　送信手段と、
　視聴者参加型放送番組を受信する受信手段と、
　利用者の居住地識別情報を記憶する記憶手段と、
　前記視聴者参加型放送番組の問題に基づく回答を前記送信手段を介して送信する際、前記回答とともに前記記憶手段が記憶している居住地識別情報も送信するように制御する制御手段と、
　を備えることを特徴とする移動体用放送受信装置。」
　
イ．刊行物の記載等
（ア）原査定の拒絶の理由に引用された刊行物１である特開２００５−１０２３２２号公報（以下、「引用例１」という。）には、図面と共に以下の記載がある。
「【請求項１２】
　映像情報および音響情報の少なくとも一方であるコンテンツを受信する受信手段と、
　その受信されたコンテンツに対する視聴者の反応が反応値として入力される反応値入力手段と、
　その入力された反応値から、受信されたコンテンツに対する視聴者の評価を示す認識評価値を算出する認識評価値算出手段と、
　その算出された認識評価値の情報、受信されたコンテンツを特定する情報であるコンテンツ識別情報、および当該受信装置または視聴者を特定する情報である送信元識別情報を送信する通信手段と、
　を備えることを特徴とするコンテンツ受信装置。
　【請求項１３】
　映像情報および音響情報の少なくとも一方であるコンテンツを受信する受信手段と、
　その受信されたコンテンツに対する視聴者の評価を示す認識評価値が入力される認識評価値入力手段と、
　その入力された認識評価値の情報、受信されたコンテンツを特定する情報であるコンテンツ識別情報、および当該受信装置または視聴者を特定する情報である送信元識別情報を送信する通信手段と、
　を備えることを特徴とするコンテンツ受信装置。
　【請求項１４】
　請求項１２または１３のコンテンツ受信装置において、
　前記通信手段は、前記認識評価値情報、前記コンテンツ識別情報および前記送信元識別情報とともに、視聴者に関する情報である視聴者情報を送信することを特徴とするコンテンツ受信装置。」
「【請求項２３】
　映像情報および音響情報の少なくとも一方であるコンテンツを受信する受信手段と、
　その受信されたコンテンツに対する視聴者の反応が反応値として入力される反応値入力手段と、
　その入力された反応値から、前記受信手段によって受信されたコンテンツに対する視聴者の評価を示す認識評価値を算出する認識評価値算出手段と、
　送信元を特定する情報である送信元識別情報を設定する設定手段と、
　前記視聴者を特定して前記送信元識別情報を決定する決定手段と、
　その決定された送信元識別情報、前記受信手段によって受信されたコンテンツを特定する情報であるコンテンツ識別情報、および、前記認識評価値算出手段によって算出された認識評価値、または、この認識評価値と、前記受信手段によって受信されたコンテンツにつき、あらかじめ想定された評価値との比較結果を送信する通信手段と、
　を備えることを特徴とするコンテンツ受信装置。
　【請求項２４】
　映像情報および音響情報の少なくとも一方であるコンテンツを受信する受信手段と、
　その受信されたコンテンツに対する視聴者の評価を示す認識評価値が入力される認識評価値入力手段と、
　送信元を特定する情報である送信元識別情報を設定する設定手段と、
　前記視聴者を特定して前記送信元識別情報を決定する決定手段と、
　その決定された送信元識別情報、前記受信手段によって受信されたコンテンツを特定する情報であるコンテンツ識別情報、および、前記認識評価値入力手段によって入力された認識評価値、または、この認識評価値と、前記受信手段によって受信されたコンテンツにつき、あらかじめ想定された評価値との比較結果を送信する通信手段と、
　を備えることを特徴とするコンテンツ受信装置。」
「【０００１】
　この発明は、ＤＶＤ（Ｄｉｇｉｔａｌ　Ｖｅｒｓａｔｉｌｅ　Ｄｉｓｃ）などの記録媒体からコンテンツを再生する装置、放送または配信されたコンテンツを受信する装置、上記のコンテンツ再生装置でコンテンツを再生する場合のコンテンツ呈示制御方法、および上記のコンテンツ再生装置またはコンテンツ受信装置でコンテンツが再生または受信された場合の視聴者のコンテンツに対する印象や評価を収集解析または集計管理する方法および装置に関する。
　【０００２】
　なお、この発明では、映像情報および音響情報の少なくとも一方をコンテンツと定義する。また、映像情報は、動画、静止画、グラフィックスなど、人が視覚上、認識できる全ての情報を含むものとし、音響情報は、楽曲、話声、自然音など、人が聴感上、認識できる全ての情報を含むものとする。」
「【０００７】
　また、映画やＴＶ（テレビジョン）番組、またはＤＶＤなどの記録媒体に記録されたコンテンツに対する視聴者（観客）の反応や評価を観察または調査する方法としては、従来、映画などについては、試写を行って、観客の笑いや驚きなどの表情や動作を観察し、またはアンケートによって、観客に感想や意見を聞く方法がとられており、ＴＶ番組などについては、視聴率調査機などによって、時間帯ごとの視聴率（受信占有率）を調査し、視聴者の好みなどを分析する方法がとられており、記録媒体に記録されたコンテンツについては、その売り上げを日時および販売地域ごとに調査し、集計する方法がとられている。」
「【００１０】
　また、上述した従来の、コンテンツに対する視聴者（観客）の反応や評価を収集解析または集計管理する方法の、映画などについての第１の方法では、観客の表情や動作に表れにくい内面的な反応を見落とし、生理的な反応を測定できないため、コンテンツに対して視聴者が、どのように感じたか、どのような印象を持ったかを、詳細かつ具体的に知ることができないとともに、特に多くの観客の評価を頻繁かつ継続的に得て分析することができない。
　【００１１】
　また、ＴＶ番組などについての第２の方法では、時間帯ごとの視聴率しか知ることができず、視聴者がどのような印象を持って番組を視聴したかまでは知ることができない。そのため、番組に対する人気を正確に把握し、継続的に番組を手直しする際の指標や、以後の番組制作のための指標を得ることができない。記録媒体に記録されたコンテンツについての第３の方法でも、同様である。
　【００１２】
　そこで、この発明の一つの目的は、視聴者の表情や動作に表れにくい内面的・生理的な反応を含めて、かつコンテンツのそれぞれの呈示時間帯ごとに、コンテンツに対する視聴者の評価を詳細かつ正確に知ることができるとともに、特に多くの視聴者の評価を頻繁かつ継続的に得て分析することができ、継続的にコンテンツを手直しする際の指標や、以後のコンテンツ制作のための指標を確実に得ることができるようにすることにある。」
「【０１３０】
　〔コンテンツ評価収集解析の実施形態：図１０〜図１９〕
　第２の実施形態として、再生または受信されたコンテンツに対する視聴者の評価を収集し、解析する場合を、以下に示す。
　【０１３１】
　　（コンテンツ再生装置の一例：図１０および図１１）
　図１０は、第２の実施形態のコンテンツ再生装置としての光ディスク再生装置の一例を示す。」
「【０１４８】
　　　＜反応値の測定および認識評価値の算出＞
　反応値入力部６１は、各種のセンサと信号処理部によって構成され、信号処理部において、センサ出力の測定データにつき、微分、積分、相関演算などの演算処理が行われることによって、反応値が得られる。
　【０１４９】
　ただし、反応値入力部６１としては、センサ部分とインタフェース部分のみを備え、システムコントローラ７でセンサ出力が処理されることによって、反応値が算出される構成としてもよい。
　【０１５０】
　視聴者の反応を測定するセンサは、視聴者が座る座席の座面、背もたれ、肘掛などの部分、視聴者が装着するヘッドセットのイヤパッドやヘッドバンド、視聴者が操作するリモートコマンダなどに取り付けられる。
　【０１５１】
　反応値としては、視聴者の反応として測定されたデータそのものと、反応値解析部６２で反応値入力部６１からの測定データを解析することによって得られるデータとがある。
　【０１５２】
　具体的に、視聴者の反応として測定する項目は、心電図、呼吸数、呼吸周期、筋電図、脳血流量、脳波、発汗量、皮膚温度、瞳孔径、開眼度、瞬き、表情、手足の血流量、耳たぶの血流量、手足の温度などである。
　【０１５３】
　また、映画やゲーム、後述の放送受信装置の場合の視聴者参加型ドラマなどでは、反応値として、視聴者の能動的行動の観測によって得られた値、例えば、視聴者が発生した音声のピッチ周波数やその変動、声の大きさやその変動、操作レバーを動かすときの動きの滑らかさや力の大きさなどを用いることができる。
　【０１５４】
　反応値解析部６２で、これらの測定データを解析することによって得られるデータは、例えば、瞬きの時点を示すデータから算出される、瞬きの無い時間の間隔を示すデータや、開眼度と瞬きの無い時間の変動、口の表情などから算出される、笑いの区間を示すデータなどである。
　【０１５５】
　さらに、反応値解析部６２では、開眼度、瞳孔径の変化や筋電図（手足の筋肉の緊張度）から、驚きの区間を示すデータを算出することができ、発汗量、心拍数およびその上昇度、瞳孔径の変化、手足の血流量の変化、手足の温度の変化などから、緊張の区間を示すデータを算出することができる。
　【０１５６】
　複数の測定データから新たな反応値を算出する方法としては、各測定データを線形結合する方法などを用いることができる。
　【０１５７】
　認識評価値算出部６３では、反応値入力部６１から入力された反応値、および反応値解析部６２で算出された反応値から、コンテンツに対する視聴者の印象や評価が認識評価値として算出される。
　【０１５８】
　具体的な認識評価値としては、興味や関心の程度を示す評価値、印象の強さを示す評価値、好ましさの程度を示す評価値、恐怖の程度を示す評価値などが算出される。
　【０１５９】
　興味や関心の程度を示す認識評価値は、開眼度、瞬き度、心拍数などの関数として算出される。印象の強さを示す認識評価値は、開眼度、心拍数、発汗量などの関数として算出される。好ましさの程度を示す認識評価値は、心拍数の安定性や発汗量の安定性、手足の温度、手足の血流量などから算出される。恐怖の程度を示す認識評価値は、驚き度や緊張度などから算出される。
　【０１６０】
　なお、ここでの認識評価値は、認識の意味を考えて定義され、算出されるものであって、それぞれが独立であるとは限らない。
　【０１６１】
　認識評価値は、多次元データとして表現することもできる。その場合には、各次元の意味を示す識別子を付加して、認識評価値データとする。
　【０１６２】
　反応値や認識評価値は、時々刻々と測定または算出することもできるが、再生されたコンテンツのシーンやショットなど、コンテンツの区切りごとに測定または算出してもよい。この場合、シーンやショットなどの区間を示す情報は、コンテンツとともに光ディスク１に記録されているものでもよいが、再生された映像や音響の特徴から、システムコントローラ７がシーンやショットなどの区間を検出する構成とすることもできる。
　【０１６３】
　　　＜データの送信＞
　認識評価値算出部６３で算出された認識評価値は、コンテンツ呈示時刻情報と関連づけられたものであり、後述のように集計センターで受信したとき、コンテンツのどの部分についてのものであるかが分かるものである。
　【０１６４】
　コンテンツ識別情報は、コンテンツを特定する情報で、コンテンツそれ自体に付加されたものに限らず、例えば、光ディスク１に一つのコンテンツしか記録されてなく、かつディスク識別情報（ディスクを特定する情報）が記録されている場合には、そのディスク識別情報をコンテンツ識別情報とすることができる。また、光ディスク１に一つのコンテンツしか記録されてなく、かつディスク識別情報が記録されていない場合には、ディスクに含まれるチャプタ数と上演時間とを組合せるなど、ディスクのヘッダ情報を所定の規則で組合せて、ディスク識別情報とし、コンテンツ識別情報とすることができる。
　【０１６５】
　送信元識別情報は、端末装置、この例ではコンテンツ再生装置としての光ディスク再生装置を特定する情報、または視聴者を特定する情報である。
　【０１６６】
　端末装置を特定する情報は、あらかじめ端末装置の製造者などによってシステムコントローラ７に設定される。視聴者を特定する情報は、あらかじめ操作部６での入力操作によってシステムコントローラ７に設定され、または、これが書き込まれたメモリカードのような外部記憶媒体が端末装置に装着されることによってシステムコントローラ７に設定される。
　【０１６７】
　視聴者情報は、具体的には、視聴者の年齢、性別、居住地域、趣味など、視聴者の属性を示す情報や、視聴者が過去に視聴したコンテンツの履歴を示す情報などである。視聴者情報は、あらかじめ操作部６での入力操作によってシステムコントローラ７に設定され、または、これが書き込まれたメモリカードのような外部記憶媒体が端末装置に装着されることによってシステムコントローラ７に設定される。
　【０１６８】
　視聴者情報は、必ずしも送信される必要はないが、これが送信される場合には、後述のように、集計センターにおいて、同じコンテンツに対する視聴者の評価が、視聴者の属性ごとに、どのように相違するかなど、視聴者の属性を考慮した解析を行うことができる。
　【０１６９】
　コンテンツ呈示時刻情報が付加された認識評価値情報、コンテンツ識別情報、送信元識別情報および視聴者情報は、コンテンツ呈示時刻情報が付加された認識評価値情報をデータ部とし、送信元識別情報、視聴者情報およびコンテンツ識別情報をヘッダ部として、多重化部６５で多重化されて、通信装置部６７によって集計センターに送信される。
　【０１７０】
　認識評価値情報は、５秒、３０秒などというような所定時間間隔で、その都度送信され、またはコンテンツの再生が全て終了した時点で、まとめて送信される。いずれの場合にも、上記の各情報は、バッファ６６に一時記憶された後、通信装置部６７によって集計センターに送信される。
　【０１７１】
　映画などのように長時間のコンテンツは、視聴者が何回かに分けて視聴することも考えられる。このようにコンテンツの途中で再生を一時停止した場合には、システムコントローラ７が、その停止した箇所を特定する情報や、その箇所での認識評価値およびコンテンツ呈示時刻情報を保持して、同じコンテンツについての次回のコンテンツ再生およびデータ送信の用に供するように、光ディスク再生装置を構成する。
　【０１７２】
　　　＜認識評価値を直接入力する場合：図１１＞
　図１０の例は、反応値入力部６１からの反応値から認識評価値算出部６３で認識評価値を算出する場合であるが、視聴者が各項目についての認識評価値を直接入力する構成とすることもできる。
　【０１７３】
　図１１は、この場合の例を示し、図１０の例の反応値入力部６１、反応値解析部６２および認識評価値算出部６３に代えて、認識評価値入力部６４を設ける。
　【０１７４】
　認識評価値入力部６４は、例えば、興味や関心の程度は「−２」、好ましさの程度は「＋３」というように、視聴者が各項目についての認識評価値を数値で入力する構成とし、または、認識評価値の各項目ごとにレバーを設け、視聴者が各レバーをプラス方向またはマイナス方向にスライドさせる構成とする。
　【０１７５】
　あるいは、認識評価値入力部６４を、マイクロホンと音声認識機能を有する信号処理部とからなるものとして、「全く興味がない」「非常に好ましい」などというように、視聴者が各項目についての認識評価値を音声で入力する構成とすることもできる。」
「【０２００】
　　（コンテンツ受信装置の一例（放送受信装置）：図１３および図１４）
　第２の実施形態のコンテンツ受信装置は、一例として、ＢＳデジタル放送などのデジタルＴＶ放送を受信する装置として構成することができる。
　【０２０１】
　デジタルＴＶ放送では、コンテンツ識別情報として、番組ＩＤ（識別子）や番組名などが放送されるとともに、番組やシーンまたはショットに挿入して、その映像特性や音響特性などを記述した情報、いわゆるメタデータを放送することができる。
　【０２０２】
　図１３は、放送受信装置の一例を示す。受信選局部７１では、操作部６での選局操作に基づくシステムコントローラ７の選局制御によって、放送信号が受信選局される。その受信選局された信号は、復調・エラー訂正部７２で復調され、エラー訂正された後、バッファとして機能する記憶装置部７３に書き込まれ、記憶装置部７３から読み出される。
　【０２０３】
　記憶装置部７３から読み出された信号は、デマルチプレクサ１３に供給され、デマルチプレクサ１３から、それぞれ符号化された映像データ、音響データおよび字幕データが、分離されて得られる。その他は、図１０の例の光ディスク再生装置と同じである。
　【０２０４】
　なお、反応値や認識評価値を、コンテンツ（番組）のシーンまたはショットごとに測定または算出する場合、シーンまたはショットの区間を示す情報は、コンテンツとともに放送されるものでもよいが、再生された映像や音響の特徴から、システムコントローラ７がシーンまたはショットの区間を検出する構成とすることもできる。
　【０２０５】
　図１４は、放送受信装置の他の例を示す。この例では、デジタルＴＶ放送として、コンテンツ（番組の映像データおよび音響データ）に多重化されて、上述した想定評価値データが放送されるとともに、放送受信装置でコンテンツのストーリー展開を変更できるように、放送受信装置で選択可能な複数のシーンまたはショットが放送されるものとする。
　【０２０６】
　受信選局部７１では、想定評価値データを含む放送信号が受信選局され、その受信選局された信号は、復調・エラー訂正部７２で復調され、エラー訂正された後、記憶装置部７３に書き込まれ、記憶装置部７３から読み出される。記憶装置部７３は、バッファとしても機能するが、コンテンツのストーリー展開の変更用にシーンまたはショットを選択するためのものである。
　【０２０７】
　記憶装置部７３から読み出された信号は、デマルチプレクサ１３に供給され、デマルチプレクサ１３から、それぞれ符号化された映像データ、音響データ、字幕データおよび想定評価値データが、分離されて得られる。その他は、図１２の例の光ディスク再生装置と同じである。
　【０２０８】
　そして、この放送受信装置では、想定評価値と認識評価値の比較結果に基づくシステムコントローラ７の制御により、記憶装置部７３から読み出されるシーンまたはショットが選択されることによって、コンテンツのストーリー展開が変えられる。
　【０２０９】
　図１３または図１４の例の放送受信装置についても、反応値入力部６１、反応値解析部６２および認識評価値算出部６３に代えて、認識評価値入力部を設け、視聴者が各項目についての認識評価値を直接入力する構成とすることができる。」
　
　ここで、上記記載について検討する。
　
　第一に、上記段落【０１５３】の「後述の放送受信装置の場合」、上記段落【０２００】の「第２の実施形態のコンテンツ受信装置は、一例として、ＢＳデジタル放送などのデジタルＴＶ放送を受信する装置として構成することができる。」との記載からみて、引用例１には、「放送受信装置」が記載されている。
　第二に、上記段落【０１６８】〜【０１６９】の「視聴者情報は、必ずしも送信される必要はないが、これが送信される場合には、後述のように、集計センターにおいて、同じコンテンツに対する視聴者の評価が、視聴者の属性ごとに、どのように相違するかなど、視聴者の属性を考慮した解析を行うことができる。
　コンテンツ呈示時刻情報が付加された認識評価値情報、コンテンツ識別情報、送信元識別情報および視聴者情報は、コンテンツ呈示時刻情報が付加された認識評価値情報をデータ部とし、送信元識別情報、視聴者情報およびコンテンツ識別情報をヘッダ部として、多重化部６５で多重化されて、通信装置部６７によって集計センターに送信される。」との記載からみて、引用例１記載の「放送受信装置」は、「送信の際に使用する通信装置部」を有している。
　第三に、上記段落【０１５３】の「後述の放送受信装置の場合の視聴者参加型ドラマなどでは、反応値として、視聴者の能動的行動の観測によって得られた値、例えば、視聴者が発生した音声のピッチ周波数やその変動、声の大きさやその変動、操作レバーを動かすときの動きの滑らかさや力の大きさなどを用いることができる。」、段落【０２０２】の「図１３は、放送受信装置の一例を示す。受信選局部７１では、操作部６での選局操作に基づくシステムコントローラ７の選局制御によって、放送信号が受信選局される。」との記載からみて、引用例１記載の「放送受信装置」は、「視聴者参加型ドラマが受信選局」される手段を有している。
　第四に、上記段落【０１６７】の「視聴者情報は、具体的には、視聴者の年齢、性別、居住地域、趣味など、視聴者の属性を示す情報や、視聴者が過去に視聴したコンテンツの履歴を示す情報などである。視聴者情報は、あらかじめ操作部６での入力操作によってシステムコントローラ７に設定され、または、これが書き込まれたメモリカードのような外部記憶媒体が端末装置に装着されることによってシステムコントローラ７に設定される。」、段落【０２０３】の「その他は、図１０の例の光ディスク再生装置と同じである。」との記載からみて、引用例１記載の発明の「放送受信装置」についても、図１０の例の光ディスク再生装置の説明として記載された、段落【０１６７】の構成を有しているものであるから、引用例１記載の「放送受信装置」は、「視聴者の居住地域が設定されるシステムコントローラ」を有している。
　第五に、上記段落【０１５３】〜【０１５９】の「また、映画やゲーム、後述の放送受信装置の場合の視聴者参加型ドラマなどでは、反応値として、視聴者の能動的行動の観測によって得られた値、例えば、視聴者が発生した音声のピッチ周波数やその変動、声の大きさやその変動、操作レバーを動かすときの動きの滑らかさや力の大きさなどを用いることができる。
　反応値解析部６２で、これらの測定データを解析することによって得られるデータは、例えば、瞬きの時点を示すデータから算出される、瞬きの無い時間の間隔を示すデータや、開眼度と瞬きの無い時間の変動、口の表情などから算出される、笑いの区間を示すデータなどである。
　さらに、反応値解析部６２では、開眼度、瞳孔径の変化や筋電図（手足の筋肉の緊張度）から、驚きの区間を示すデータを算出することができ、発汗量、心拍数およびその上昇度、瞳孔径の変化、手足の血流量の変化、手足の温度の変化などから、緊張の区間を示すデータを算出することができる。
　複数の測定データから新たな反応値を算出する方法としては、各測定データを線形結合する方法などを用いることができる。
　認識評価値算出部６３では、反応値入力部６１から入力された反応値、および反応値解析部６２で算出された反応値から、コンテンツに対する視聴者の印象や評価が認識評価値として算出される。
　具体的な認識評価値としては、興味や関心の程度を示す評価値、印象の強さを示す評価値、好ましさの程度を示す評価値、恐怖の程度を示す評価値などが算出される。
　興味や関心の程度を示す認識評価値は、開眼度、瞬き度、心拍数などの関数として算出される。印象の強さを示す認識評価値は、開眼度、心拍数、発汗量などの関数として算出される。好ましさの程度を示す認識評価値は、心拍数の安定性や発汗量の安定性、手足の温度、手足の血流量などから算出される。恐怖の程度を示す認識評価値は、驚き度や緊張度などから算出される。」、上記段落【０１６７】〜【０１６９】の「視聴者情報は、具体的には、視聴者の年齢、性別、居住地域、趣味など、視聴者の属性を示す情報や、視聴者が過去に視聴したコンテンツの履歴を示す情報などである。視聴者情報は、あらかじめ操作部６での入力操作によってシステムコントローラ７に設定され、または、これが書き込まれたメモリカードのような外部記憶媒体が端末装置に装着されることによってシステムコントローラ７に設定される。
　視聴者情報は、必ずしも送信される必要はないが、これが送信される場合には、後述のように、集計センターにおいて、同じコンテンツに対する視聴者の評価が、視聴者の属性ごとに、どのように相違するかなど、視聴者の属性を考慮した解析を行うことができる。
　コンテンツ呈示時刻情報が付加された認識評価値情報、コンテンツ識別情報、送信元識別情報および視聴者情報は、コンテンツ呈示時刻情報が付加された認識評価値情報をデータ部とし、送信元識別情報、視聴者情報およびコンテンツ識別情報をヘッダ部として、多重化部６５で多重化されて、通信装置部６７によって集計センターに送信される。」、上記段落【０１７２】〜【０１７４】の「図１０の例は、反応値入力部６１からの反応値から認識評価値算出部６３で認識評価値を算出する場合であるが、視聴者が各項目についての認識評価値を直接入力する構成とすることもできる。
　図１１は、この場合の例を示し、図１０の例の反応値入力部６１、反応値解析部６２および認識評価値算出部６３に代えて、認識評価値入力部６４を設ける。
　認識評価値入力部６４は、例えば、興味や関心の程度は「−２」、好ましさの程度は「＋３」というように、視聴者が各項目についての認識評価値を数値で入力する構成とし、または、認識評価値の各項目ごとにレバーを設け、視聴者が各レバーをプラス方向またはマイナス方向にスライドさせる構成とする。」との記載からみて、引用例１記載の「放送受信装置」は、「視聴者が直接入力する視聴者参加型ドラマのコンテンツに対する視聴者の印象や評価である認識評価値情報をデータ部とし、システムコントローラに設定された居住地域を示す情報を含む視聴者情報をヘッダ部として、通信装置部によって送信する」手段を有している。
　
　したがって、引用例１には以下の発明（以下、「引用発明１」という。）が記載されている。
「送信の際に使用する通信装置部、
　視聴者参加型ドラマが受信選局される手段、
　視聴者の居住地域が設定されるシステムコントローラ、
　視聴者が直接入力する視聴者参加型ドラマのコンテンツに対する視聴者の印象や評価である認識評価値情報をデータ部とし、システムコントローラに設定された居住地域を示す情報を含む視聴者情報をヘッダ部として、通信装置部によって送信する手段を有する
　放送受信装置。」
　
（イ）原査定の拒絶の理由に引用された刊行物２である特開２００２−５７６４５号公報（以下、「引用例２」という。）には、図面と共に以下の記載がある。
「【０００２】
　【従来の技術】
　近年、放送のデジタル化が進められており、これによって通信との融合の可能性が開かれつつある。また、一方において、携帯電話の普及はめざましく、電話以外の通信端末としての携帯電話の可能性が注目されている。
　【発明が解決しようとする課題】
　さて、このような状況においては、携帯電話等の携帯端末をデジタル放送の受信端末として利用することが考えられるが、次のような問題がある。すなわち、携帯端末向けに放送される移動体放送を携帯端末で直接受信するためには、比較的大きな受信機を携帯端末に搭載させなければならない。」
　
（ウ）平成２４年４月９日付け補正の却下の決定にて提示された刊行物である特開２００１−７８１６７号公報（以下、「引用例３」という。）には、図面と共に以下の記載がある。
「【０００２】
　【従来の技術】
　テレビジョン番組の中には、視聴者が番組に参加するような形態のものがある。例えば、テレビジョンショッピングの番組では、番組中に商品を宣伝しながら、その商品の購買者を募ったり、その商品の人気度やその商品に関心がある客層を調べるために、視聴者にアンケートを募ったりする場合がある。また、討論番組では、その論題に対する視聴者の意見を募ったりする場合がある。また、クイズ番組で、番組の視聴者に向けてクイズを出題するような場合がある。
　【０００３】
　このような視聴者が番組に参加するような形態のテレビジョン番組では、全ての視聴者を対象とするのではなく、視聴者の条件を設定して、意見を募る場合がある。例えば、「年齢３０歳以上の男性」という条件を設定し、この条件に当てはまる人の意見を募るような場合がある。このような視聴者が番組に参加するような形態のテレビジョン番組では、番組の進行に伴って、視聴者からのリアクションが迅速に返されることが望まれる。」
「【０００９】
　【発明が解決しようとする課題】
　そこで、インターネットを使って視聴者からのリアクションを放送局側に送ることが考えられる。インターネットは、双方向の通信媒体であるので、番組に対する視聴者からのリアクションを即時に受けることができると共に、視聴者の要求や意見を整理したり、分析したりすることが簡単に行なえる。
　【００１０】
　ところが、インターネットを使って視聴者からのリアクションを送るようにした場合、多数の視聴者から同時にリアクションがあった場合に、視聴者からのリアクションを受けるのが困難になる。また、インターネットを使って視聴者からのリアクションを送るようにした場合には、視聴者のプライバシーの保護が守られなくなる可能性がある。
　【００１１】
　例えば、「年収２００万円以下の人」であるとか、「３０代の女性」とかいうような条件を設定して、アンケートや意見を募ったりしたとする。この場合には、視聴者は、名前や、職業、年収、年齢、既婚か未婚かというような個人情報をリアクションとして放送局に送るようになる。ところが、このような個人情報を送ってしまうと、プライバシーが守られなくなってしまう。」
「【００４３】
　図４は、図１における受信端末３の構成の一例を示すものである。図４において、放送局１からの信号は、衛星２を介して、受信部２１で受信される。受信部２１で、所望の信号が選択され、この信号がデコードされる。
　【００４４】
　受信部２１からは、パケットストリームが出力される。このパケットストリームは、データ分離部２２に供給される。データ分離部２２で、ビデオパケットと、オーディオパケットと、付加データのパケットとが分離される。
　【００４５】
　分離されたビデオパケット、オーディオパケット、付加データのパケットは、データ処理部２３に送られる。データ処理部２３は、ビデオデータやオーディオデータの伸長処理を行なうと共に、付加データに対する処理を行なっている。伸長されたビデオデータ及びオーディオデータから、ビデオ信号及びオーディオ信号が形成される。このビデオ信号及びオーディオ信号は、モニタ１２に供給される。
　【００４６】
　また、データ処理部２３で、付加データに基づいて、ＥＰＧ画面や、マルチメディア画面が形成される。このＥＰＧ画面やマルチメディア画面がモニタ１２に映出される。データ処理部２３には、操作部２６から入力が与えられる。
　【００４７】
　また、データ処理部２３に対して、蓄積部２５が設けられる。蓄積部２５には、図５に示すように、ユーザの名前、居住地、職業、年収等が視聴者の個人情報として蓄積される。
　【００４８】
　図５Ａは、ユーザＩＤが「＃１」、名前が「鈴木太郎」、居住地が「東京都」、職業が「エンジニア」、年収が「３００万円」、性別が「男」のユーザの場合の個人情報である。図５Ｂは、ユーザＩＤが「＃２」、名前が「佐藤二郎」、居住地が「東京都」、職業が「教員」、年収が「５００万円」、性別が「男」のユーザの場合の個人情報である。図５Ｃは、ユーザＩＤが「＃３」、名前が「田中花子」、居住地が「埼玉県」、職業が「銀行員」、年収が「９００万円」、性別が「女」のユーザの場合の個人情報である。」
「【００９７】
　ところで、放送局１０１が、例えばショッピングの番組を放送しており、番組中に商品を宣伝しながら、その商品の購買者を募ったりする場合がある。また、討論番組で、その論題に対する視聴者の意見を募ったりする場合がある。また、クイズ番組で、番組の視聴者に向けてクイズを出題するような場合がある。このような場合には、受信端末１０３からは、個人情報の他に、買い物をする品物や、意見、クイズの回答等をメッセージとして送る必要がある。図１３は、このようなメッセージを付けて、受信端末１０３から放送局１０１にリアクションを送る場合を示すものである。
　【００９８】
　図１３に示すように、放送局１０１からは、プロトコルとデータとが放送される。このプロトコルには、「メッセージを送信する」というようなコマンドが含まれている。なお、ここでいうメッセージとは、ユーザがキーホード等により入力したメッセージだけでなく、ＹＥＳ、ＮＯボタン等を押したときに発生するデータもメッセージとして扱っている。
　【００９９】
　例えば、放送局１０１で、討論番組を放映しており、討論されている論題について、東京都に住んでいる３０歳以上を対象として、その論題に賛成か反対かを調べたような場合がある。この場合には、「居住地」、「年齢」、「賛成／反対のメッセージを送る」というプロトコルと、「東京都」、「３０歳以上」というデータが送られる。
　【０１００】
　この番組を見ていて、その論題についての賛成／反対の意見を送りたいと考えたユーザは、キー操作をして、メッセージを送る。このとき、そのユーザの受信端末１０３の蓄積部１１３に蓄積されている個人情報がリアクションを返すための条件に満足していれば、この場合には、そのユーザが「東京都」在住で、「３０歳以上」という条件を満足していれば、そのユーザの受信端末１０３から、伝送系１０４を介して、認証局１０５に、個人情報のデータとメッセージがリアクションとして送られる。」
　
ウ．対比
　補正後発明と引用発明１を対比する。
　
（ア）「送信手段」
　引用発明１は、「送信の際に使用する通信装置部」を有しており、通信装置部が送信の際に使用するものであるので、引用発明１の「送信の際に使用する通信装置部」と補正後発明の「送信手段」が一致する。
　
（イ）「視聴者参加型放送番組を受信する受信手段」
　引用発明１は、「視聴者参加型ドラマが受信選局される手段」を有しており、引用発明１の視聴者参加型ドラマは放送されるものであるから、視聴者参加型放送番組であり、引用発明１の「視聴者参加型ドラマが受信選局される手段」と補正後発明の「視聴者参加型放送番組を受信する受信手段」が一致する。
　
（ウ）「利用者の居住地識別情報を記憶する記憶手段」
　引用発明１は、「視聴者の居住地域が設定されるシステムコントローラ」を有しており、視聴者の居住地域が設定されるということは、システムコントローラに記憶されることであるから、引用発明１の「視聴者の居住地域をが設定されるシステムコントローラ」と補正後発明の「利用者の居住地識別情報を記憶する記憶手段」が一致する。
　
（エ）「前記視聴者参加型放送番組の問題に基づく回答を前記送信手段を介して送信する際、前記回答とともに前記記憶手段が記憶している居住地識別情報も送信するように制御する制御手段」
　引用発明１は、「視聴者が直接入力する視聴者参加型ドラマのコンテンツに対する視聴者の印象や評価である認識評価値情報をデータ部とし、システムコントローラに設定された居住地域を示す情報を含む視聴者情報をヘッダ部として、通信装置部によって送信する手段」を有しており、（ウ）で検討したように、引用発明１の「システムコントローラに設定された」構成は、補正後発明の「記憶手段が記憶している」構成と一致するものである。さらに、引用発明１の「コンテンツに対する視聴者の印象や評価である認識評価値情報」は、コンテンツすなわち番組に基づく評価であるから、引用発明１の「視聴者参加型ドラマのコンテンツに対する視聴者の印象や評価である認識評価値情報」と補正後発明の「視聴者参加型放送番組の問題に基づく回答」は、番組に基づく情報である点で共通する。引用発明１では、「認識評価値情報をデータ部とし、システムコントローラに設定された居住地域を示す情報を含む視聴者情報をヘッダ部として、通信装置部によって送信する」ものであるから、認識評価値情報とともにシステムコントローラに設定された居住地識別情報も送信するものであること、情報を送信する場合には、送信を制御する手段を装置内に有することは当然であることを考えるに、引用発明１の「視聴者が直接入力する視聴者参加型ドラマのコンテンツに対する視聴者の印象や評価である認識評価値情報をデータ部とし、システムコントローラに設定された居住地域を示す情報を含む視聴者情報をヘッダ部として、通信装置部によって送信する手段」は、「番組に基づく情報を前記送信手段を介して送信する際、前記情報とともに前記記憶手段が記憶している居住地識別情報も送信するように制御する制御手段」という点で、補正後発明と一致する。
　
　ただし、番組に基づく情報を前記送信手段を介して送信することに関して、引用発明１では、「視聴者参加型ドラマのコンテンツに対する視聴者の印象や評価」を送信するが、補正後発明では、「前記視聴者参加型放送番組の問題に基づく回答」を送信するという点で相違する。
　
（オ）「移動体用放送受信装置」
　引用発明１は、「放送受信装置」であり、補正後発明と「放送受信装置」である点では一致する。
　
　ただし、補正後発明の放送受信装置は、「移動体用放送受信装置」であるという点で相違する。
　
エ．一致点・相違点
　以上の対比（ア）〜（オ）によると、補正後発明と引用発明との一致点・相違点は以下の通りである。
［一致点］
　送信手段と、
　視聴者参加型放送番組を受信する受信手段と、
　利用者の居住地識別情報を記憶する記憶手段と、
　番組に基づく情報を前記送信手段を介して送信する際、前記情報とともに前記記憶手段が記憶している居住地識別情報も送信するように制御する制御手段と、
　を備えることを特徴とする放送受信装置。
　
［相違点］
　補正後発明が、「移動体用放送受信装置」であるのに対して、引用発明１が、「放送受信装置」である点。（以下、「相違点１」という。）
　番組に基づく情報を前記送信手段を介して送信することに関して、補正後発明では、「前記視聴者参加型放送番組の問題に基づく回答」を送信するが、引用発明１では、「視聴者参加型ドラマのコンテンツに対する視聴者の印象や評価」を送信するという点。（以下、「相違点２」という。）
　
オ．相違点の判断等
　
　上記相違点１について
　移動体用放送受信装置は、引用例２にみられるように、周知の構成であり、居住地識別情報を送信する引用発明１の放送受信装置を移動体用放送受信装置とすることは、容易に考えることに過ぎない。
　
　上記相違点２について
　引用発明１は、視聴者参加型ドラマのコンテンツに対する視聴者の印象や評価を居住地識別情報とともに送信するものである。
　そして、引用例３で、クイズ番組のような視聴者が番組に参加するような形態のテレビジョン番組にて、クイズの回答等をキーボード等により入力したメッセージとして送る際に、居住地等の個人情報のデータとメッセージがリアクションとして送られることが示されているように、クイズすなわち問題に基づく回答を居住地等の個人情報すなわち居住地識別情報とともに送信するようなことは、出願時において既に知られていることである。
　そうすると、引用発明１と番組に対する情報を視聴者が直接入力して居住地識別情報とともに送信するという点で共通する、引用例３のような問題に基づく回答を居住地識別情報とともに送信するようなことが知られている以上、引用例３のような問題に基づく回答を居住地識別情報とともに送信するような場合についても、引用発明１のような放送受信装置を利用して送信するようなことにすることは、当業者にとって容易に考え得るものである。
　したがって、引用発明１において、視聴者参加型ドラマのコンテンツに対する視聴者の印象や評価を送信することに代えて、引用例３のような視聴者参加型放送番組の問題に基づく回答を送信するようなことにすることも、当業者が容易に想到し得たことにすぎない。
　
　また、補正後発明の効果は、その構成から当業者が容易に予測し得るものであり、格別顕著なものがあるとは認められない。
　
カ．まとめ（独立特許要件）
　
　以上、補正後発明は、引用例１ないし３に記載の発明に基づいて当業者が容易に発明をすることができたものであるから、特許法第２９条第２項の規定により特許出願の際独立して特許を受けることができないものである。
　
２．４．むすび（補正却下）
　
　以上のとおり、本件補正は、平成１８年改正前特許法第１７条の２第５項において準用する同法第１２６条第５項の規定に違反するので、同法第１５９条第１項の規定において読み替えて準用する同法第５３条第１項の規定により却下すべきものである。
　
第３．本願発明について
　
　平成２４年７月１７日付けの手続補正は上記のとおり却下されたので、本願の請求項１ないし６に係る発明は、明細書、特許請求の範囲及び図面の記載からみて、それぞれ、その特許請求の範囲の請求項１ないし６に記載した事項により特定されるとおりのものであるところ、そのうち、請求項５に係る発明（以下、「本願発明」という。）は、以下のとおりである。
　
「【請求項５】
　送信手段と、
　視聴者参加型放送番組を受信する受信手段と、
　利用者の居住地識別情報を記憶する記憶手段と、
　前記視聴者参加型放送番組に基づく回答を前記送信手段を介して送信する際、前記回答とともに前記記憶手段が記憶している居住地識別情報も送信するように制御する制御手段と、
　を備えることを特徴とする移動体用放送受信装置。」
　
第４　検討
　
１．刊行物の記載
　原査定の拒絶の理由に引用された刊行物１である特開２００５−１０２３２２号公報には、上記「第２　２．３．イ．（ア）」で述べたとおりの記載、及び引用発明１が記載されている。また、同じく、原査定の拒絶の理由に引用された刊行物２である特開２００２−５７６４５号公報には、上記「第２　２．３．イ．（イ）」で述べたとおりの記載がある。
　
２．対比
　補正後発明は、本願発明に、上記「第２　１．補正の内容」の補正事項の補正をしたものである。
　したがって、本願発明は、補正後発明から上記補正事項の補正を戻す関係にあり、その内容は、限定事項を戻す関係にある。
　そして、本願発明と引用発明との対比は、上記「第２　２．３．ウ．」において、（ア）、（イ）、（ウ）、（オ）については、同様であり、限定事項を戻す（エ）について、以下で検討する。
（エ）「前記視聴者参加型放送番組に基づく回答を前記送信手段を介して送信する際、前記回答とともに前記記憶手段が記憶している居住地識別情報も送信するように制御する制御手段」
　引用発明１は、「視聴者が直接入力する視聴者参加型ドラマのコンテンツに対する視聴者の印象や評価である認識評価値情報をデータ部とし、システムコントローラに設定された居住地域を示す情報を含む視聴者情報をヘッダ部として、通信装置部によって送信する手段」を有しており、第２　２．３．ウ．（イ）で検討したように、引用発明１の「視聴者参加型ドラマ」は、本願発明の「視聴者参加型放送番組」に一致し、第２　２．３．ウ．（ウ）で検討したように、引用発明１の「システムコントローラに設定された」構成は、本願発明の「記憶手段が記憶している」構成と一致するものである。さらに、引用発明１の「コンテンツに対する視聴者の印象や評価である認識評価値情報」は、コンテンツすなわち番組に基づく評価であり、印象や評価も番組に基づいて利用者から返信されるものであることを考えると、一種の番組に基づく回答であるから、引用発明１の「視聴者参加型ドラマのコンテンツに対する視聴者の印象や評価である認識評価値情報」と本願発明の「視聴者参加型放送番組に基づく回答」は、一致する。引用発明１では、「認識評価値情報をデータ部とし、システムコントローラに設定された居住地域を示す情報を含む視聴者情報をヘッダ部として、通信装置部によって送信する」ものであるから、認識評価値情報とともにシステムコントローラに設定された居住地識別情報も送信するものであること、情報を送信する場合には、送信を制御する手段を装置内に有することは当然であることを考えるに、引用発明１の「視聴者が直接入力する視聴者参加型ドラマのコンテンツに対する視聴者の印象や評価である認識評価値情報をデータ部とし、システムコントローラに設定された居住地域を示す情報を含む視聴者情報をヘッダ部として、通信装置部によって送信する手段」は、本願発明の「前記視聴者参加型放送番組に基づく回答を前記送信手段を介して送信する際、前記回答とともに前記記憶手段が記憶している居住地識別情報も送信するように制御する制御手段」と一致する。
　
３．一致点・相違点
　以上の対比から、本願発明と引用発明１との［一致点］及び［相違点］は、以下のとおりである。
　
［一致点］
　送信手段と、
　視聴者参加型放送番組を受信する受信手段と、
　利用者の居住地識別情報を記憶する記憶手段と、
　前記視聴者参加型放送番組に基づく回答を前記送信手段を介して送信する際、前記回答とともに前記記憶手段が記憶している居住地識別情報も送信するように制御する制御手段と、
　を備えることを特徴とする放送受信装置。
　
［相違点］
　本願発明が、「移動体用放送受信装置」であるのに対して、引用発明１が、「放送受信装置」である点。
　
４．判断
　
［相違点］について
　上記「第２　２．３．オ．」の相違点１についての判断と同様であって、この点に、格別のものはなく、また、本願発明の効果は、その構成から当業者が容易に予測し得るものであり、格別顕著なものがあるとは認められない。
　
第５　むすび
　
　以上の通り、本願の請求項５に係る発明は、引用例１及び２に記載された発明に基づいて当業者が容易に発明をすることができたものであるから、特許法第２９条第２項の規定により特許を受けることができない。
　したがって、その余の請求項について特に検討するまでもなく、本件出願は拒絶をすべきものである。
　
　よって、結論のとおり審決する。